(57)【要約】【課題】電子機器のコネクタの、利用者の意図しない抜脱を回避する。【解決手段】電子機器３００は、筐体３０１に形成された凹部３０２と、凹部３０２の底面３０２ａに設けられたＤＣジャック３０３と、ＤＣプラグ２００と、規制部３０４を備える。ＤＣプラグ２００は、ＤＣジャック３０３に接続される本体部２０１と、本体部２０１に直交して設けられたブッシュ部２０２からなる。規制部３０４は、ＤＣジャック３０３の接続方向を回転軸方向としたＤＣジャック３０３の回転範囲を、ブッシュ部２０２と当接することにより規制する。規制部３０４は、底面３０２ａ又は側面３０２ｂの少なくとも一方から隆起している。周辺部３０６は、底面３０２ａに対する高さがブッシュ部２０２より高い領域３０６ｂと低い領域３０６ａを含み、規制部３０４は、規制範囲４００が低い領域３０６ａに納まるようにブッシュ部２０２と当接する。【選択図】図６
2020116922.tif 000002
【特許請求の範囲】
【請求項１】
電子機器であって、
前記電子機器の筐体に形成された凹部と、
前記凹部の底面に設けられたコネクタと、
本体部と前記本体部に直交して設けられたブッシュ部とからなり、前記本体部が前記コネクタに接続されるライトアングルコネクタと、
前記ライトアングルコネクタの接続方向を回転軸方向とした前記ライトアングルコネクタの回転範囲を、前記ブッシュ部と当接することにより規制し、前記凹部の前記底面又は側面の少なくとも一方から隆起した規制部と、を備え、
前記凹部の周辺部は、前記底面に対する高さが前記コネクタに前記ライトアングルコネクタが接続された状態の前記ブッシュ部より高い領域と低い領域とを含み、
前記規制部は、前記規制部によって規制された回転範囲が前記低い領域に納まるように、前記ブッシュ部と当接する
ことを特徴とする電子機器。
【請求項２】
請求項１に記載の電子機器において
前記規制部は、前記ライトアングルコネクタと当接することで前記ライトアングルコネクタの前記回転範囲を規制する当接面であって、前記底面と直角又は鋭角を成す前記当接面を有する
ことを特徴とする電子機器。
【請求項３】
請求項２に記載の電子機器において、
前記当接面の少なくとも一部は、前記ライトアングルコネクタが前記コネクタに接続されたときの前記ブッシュ部の中心高さよりも高い位置に設けられた
ことを特徴とする電子機器。
【請求項４】
請求項１乃至請求項３のいずれか１項に記載の電子機器において、
前記本体部は、中心電極を備え、
前記規制部は、前記ライトアングルコネクタが前記中心電極を回転軸として回転したときに、前記ブッシュ部と当接する位置に設けられた
ことを特徴とする電子機器。
【請求項５】
請求項１乃至請求項４のいずれか１項に記載の電子機器において、
前記規制部は、
前記底面及び前記側面から隆起した第１規制部と、
前記底面及び前記側面から隆起した、前記第１規制部とは異なる第２規制部と、を含む
ことを特徴とする電子機器。
【請求項６】
請求項１乃至請求項５のいずれか１項に記載の電子機器において、
前記ライトアングルコネクタは、ＡＣアダプタのＤＣプラグであり、
前記コネクタは、ＤＣジャックである
ことを特徴とする電子機器。
【請求項７】
電子機器であって、
前記電子機器の筐体に形成された凹部と、
前記凹部の底面に設けられたコネクタと、
前記コネクタに接続されるライトアングルコネクタの回転範囲であって前記ライトアングルコネクタの接続方向を回転軸方向とした前記回転範囲を規制する規制部であって、前記凹部の前記底面又は側面の少なくとも一方から隆起した前記規制部と、を備え、
前記規制部は、前記底面と前記筐体の表面との高低差が、前記コネクタの中心位置における前記底面と前記筐体の表面との前記高低差よりも大きい位置で、且つ、前記コネクタに接続された前記ライトアングルコネクタが前記回転軸方向を回転軸として回転したときに前記ライトアングルコネクタと当接する位置に設けられた
ことを特徴とする電子機器。
【請求項８】
請求項７に記載の電子機器であって、
前記規制部は、前記ライトアングルコネクタのブッシュ部が前記コネクタの中心位置における前記高低差よりも小さい位置から大きい位置へ変化する位置にあるときに、前記ブッシュ部と当接するように設けられる
ことを特徴とする電子機器。
【発明の詳細な説明】
【技術分野】
【０００１】
本明細書の開示は、電子機器に関する。
【背景技術】
【０００２】
例えば、特許文献１に記載される印刷装置など、商用電源から供給される交流を直流に変換して使用する電子機器には、ＡＣ（Ａｌｔｅｒｎａｔｉｎｇ Ｃｕｒｒｅｎｔ）アダプタのＤＣ（Ｄｉｒｅｃｔ Ｃｕｒｒｅｎｔ）プラグと接続するためのＤＣジャックが設けられている。ＤＣジャックが電子機器の筐体表面に設けられている場合、ＤＣジャックにＤＣプラグを接続すると、ＤＣプラグが筐体表面から大きく突出してしまう。このような構成は、デザイン面においても、また、電子機器の設置スペースが制約されるため実用面においても、好ましくない。
【先行技術文献】
【特許文献】
【０００３】
【特許文献１】特開２０１８−１６１８３９号公報
【発明の概要】
【発明が解決しようとする課題】
【０００４】
ＤＣプラグの突出量を抑えるための方法として、例えば、図１に示すように、電子機器１００の筐体１０１に凹部１０２を形成し、凹部１０２内にＤＣジャック１０３を設ける方法が考えられる。この場合、図２（ａ）に示すように、ＤＣプラグ２００を、本体部２０１とブッシュ部２０２が直交するライトアングルコネクタとして構成することで、ＤＣプラグ２００の突出量を効果的に抑えることができる。
【０００５】
ところで、ＤＣプラグ２００から延びる電源コード２０３を取り回しする際などに、ＤＣプラグ２００がＤＣジャック１０３に対して中心電極の軸方向を回転軸として回転することがある。ＤＣプラグ２００がライトアングルコネクタとして構成されている場合には、図２（ａ）から図２（ｄ）に示すように、ＤＣプラグ２００が中心電極の軸方向を回転軸として回転すると、ＤＣプラグ２００のブッシュ部２０２が筐体表面に乗り上げてしまうことによってＤＣプラグ２００に対して中心電極の軸方向に力が加わり、ＤＣプラグ２００がＤＣジャック１０３から抜けてしまう可能性がある。
【０００６】
なお、以上ではＤＣプラグとＤＣジャックの組み合わせを例に説明したが、電子機器のコネクタ全般において、同様の事象は生じ得る。
【０００７】
以上のような実情を踏まえ、本発明の一側面に係る目的は、利用者の意図しない電子機器のコネクタの抜脱を回避する技術を提供することである。
【課題を解決するための手段】
【０００８】
本発明の一態様に係る電子機器は、前記電子機器の筐体に形成された凹部と、前記凹部の底面に設けられたコネクタと、本体部と前記本体部に直交して設けられたブッシュ部とからなり、前記本体部が前記コネクタに接続されるライトアングルコネクタと、前記ライトアングルコネクタの接続方向を回転軸方向とした前記ライトアングルコネクタの回転範囲を、前記ブッシュ部と当接することにより規制し、前記凹部の前記底面又は側面の少なくとも一方から隆起した規制部と、を備える。前記凹部の周辺部は、前記底面に対する高さが前記コネクタに前記ライトアングルコネクタが接続された状態の前記ブッシュ部より高い領域と低い領域とを含む。前記規制部は、前記規制部によって規制された回転範囲が前記低い領域に納まるように、前記ブッシュ部と当接する。
【０００９】
本発明の別の態様に係る電子機器は、前記電子機器の筐体に形成された凹部と、前記凹部の底面に設けられたコネクタと、前記コネクタに接続されるライトアングルコネクタの回転範囲であって前記ライトアングルコネクタの接続方向を回転軸方向とした前記回転範囲を規制する規制部であって、前記凹部の前記底面又は側面の少なくとも一方から隆起した前記規制部と、を備える。前記規制部は、前記底面と前記筐体の表面との高低差が、前記コネクタの中心位置における前記底面と前記筐体の表面との前記高低差よりも大きい位置で、且つ、前記コネクタに接続された前記ライトアングルコネクタが前記回転軸方向を回転軸として回転したときに前記ライトアングルコネクタと当接する位置に設けられる。
【発明の効果】
【００１０】
上記の態様によれば、利用者の意図しない電子機器のコネクタの抜脱を回避することができる。
【図面の簡単な説明】
【００１１】
【図１】電子機器１００の斜視図の一例である。
【図２】電子機器１００に接続されているＤＣプラグ２００が回転する様子を示した図である。
【図３】電子機器３００の斜視図の一例である。
【図４】電子機器３００の側面図の一例である。
【図５】電子機器３００の平面図の一例である。
【図６】電子機器３００の凹部３０２の拡大図である。
【図７】電子機器３００のＡＡ断面における断面図の一例である。
【図８】規制部３０４によってＤＣプラグ２００の回転が規制される範囲を示した図である。
【図９】周辺部３０６について説明するための図である。
【図１０】ブッシュ部２０２の高さについて説明するための図である。
【図１１】電子機器３００に接続されているＤＣプラグ２００が回転する様子を示した図である。
【図１２】規制部の変形例について説明するためのである。
【図１３】規制部の別の変形例について説明するためのである。
【図１４】規制部の更に別の変形例について説明するためのである。
【発明を実施するための形態】
【００１２】
以下、本発明の一実施形態に係る電子機器３００について説明する。電子機器３００は、たとえば、ラベルプリンタであり、図示しないＡＣアダプタを介して供給される電力によって動作する。なお、電子機器３００は、バッテリーを備えてもよく、内部電源と外部電源を切り換えて使用してもよい。
【００１３】
図３は、電子機器３００の斜視図の一例である。図４は、電子機器３００の側面図の一例である。図５は、電子機器３００の平面図の一例である。以下、図３から図５を参照しながら、電子機器３００の外形について説明する。なお、図３から図５に示すＸＹＺ直交座標系は、方向参照の便宜のためのものである。電子機器３００は、一般に、ＸＹ平面が水平になるように設置され、使用される。  
【００１４】
電子機器３００の筐体３０１の形状は、図３から図５に示すように、オーバル形状の底面を有する凡そ柱体である。筐体３０１の表面のうち、柱体の側面に該当する部分は、図５に示すように、Ｙ方向と平行な２つの平面と、断面が凡そ半円形状を有する２つの曲面と、からなっている。さらに、２つの曲面部分には、凹部（凹部３０２、凹部３１０）が形成されている。
【００１５】
電子機器３００は、図３（ｂ）、図４（ａ）及び図４（ｂ）に示すように、筐体３０１の前方部分に形成された凹部３１０を有している。凹部３１０には、電子機器３００内で印刷された印刷済みのラベルを排出する排紙口３１１が設けられている。排紙口３１１は、Ｘ方向と平行な開口である。
【００１６】
電子機器３００は、図３（ａ）及び図４（ａ）に示すように、筐体３０１の後方部分に形成された凹部３０２を有している。凹部３０２は、図５に示すオーバル形状の２つの対称軸（ＡＸ１、ＡＸ２）のうちのＹ方向と平行な対称軸ＡＸ１に対して偏心した位置に形成されている。つまり、筐体３０１の中心からＸ方向に偏心した位置に形成されている。これにより、図４に示すように、側面の一方側から見たときには凹部３０２が目に付かないため、すっきりした見た目を実現することができるなどのデザイン上のメリットを享受することができる。凹部３０２は、電子機器３００に接続されるＤＣプラグ２００が電子機器３００の表面から大きく突出することを回避するために設けられた凹部である。
【００１７】
なお、ＤＣプラグ２００は、ＡＣアダプタのＤＣプラグである。ＤＣプラグ２００は、図３（ａ）に示すように、ライトアングルコネクタであり、本体部２０１とブッシュ部２０２からなる。ＤＣプラグ２００と図示しないＡＣアダプタは、電源コード２０３によってつながれている。ＤＣジャック（図６参照）と接続される本体部２０１は、円柱形状を有し、中心電極を含んでいる。本体部２０１から延びるブッシュ部２０２は、本体部２０１に直交して設けられている。より詳細には、ブッシュ部２０２は、中心電極と直交する方向に本体部２０１から延びている。
【００１８】
図６は、電子機器３００の凹部３０２の拡大図である。図７は、電子機器３００のＡＡ断面における断面図の一例である。図８は、規制部３０４によってＤＣプラグ２００の回転が規制された範囲を示した図である。図９は、周辺部３０６について説明するための図である。図１０は、ブッシュ部２０２の高さについて説明するための図である。図１１は、電子機器３００に接続されているＤＣプラグ２００が中心電極の軸方向を回転軸として回転する様子を示した図である。以下、図６から図１１を参照しながら、電子機器３００の凹部３０２について更に詳細に説明する。なお、図６から図１１に示すＸＹＺ直交座標系は、方向参照の便宜のためのものであり、図３から図５に示すＸＹＺ直交座標系と同様である。
【００１９】
凹部３０２は、図６に示すように、ＸＺ平面と平行な底面３０２ａと、側面３０２ｂを有している。凹部３０２の底面３０２ａには、ＤＣプラグ２００と接続するコネクタであるＤＣジャック３０３が設けられている。ＤＣジャック３０３は、図６及び図７に示すように、中心電極３０３ａを有し、中心電極３０３ａに対して対称な形状を有している。側面３０２ｂは、底面３０２ａと筐体３０１の表面３０１ａをつなぐ面である。
【００２０】
凹部３０２には、図６に示すように、凹部３０２の底面３０２ａ及び側面３０２ｂから隆起したリブ３０４ａ及びリブ３０４ｂが設けられている。リブ３０４ａ及びリブ３０４ｂは、ＤＣジャック３０３に接続されたＤＣプラグ２００の回転範囲を規制する規制部３０４である。この回転範囲は、ＤＣプラグ２００の接続方向を回転軸方向とした回転範囲である。ＤＣプラグ２００の接続方向は、ＤＣプラグ２００の中心電極の軸方向であり、この例では、Ｙ方向である。
【００２１】
規制部３０４は、ブッシュ部２０２と当接することにより回転範囲を規制する。第１規制部であるリブ３０４ａは、図８に示すように、ＤＣプラグ２００のブッシュ部２０２と当接することでＤＣプラグ２００の回転範囲を規制する当接面３０５ａを有している。同様に、第２規制部であるリブ３０４ｂは、図８に示すように、ＤＣプラグ２００のブッシュ部２０２と当接することでＤＣプラグ２００の回転範囲を規制する当接面３０５ｂを有している。即ち、規制部３０４は、ＤＣジャック３０３に接続されたＤＣプラグ２００がＤＣプラグ２００の中心電極を回転軸として回転したときに、ＤＣプラグ２００と当接する位置に、より詳細にはブッシュ部２０２と当接する位置に、設けられている。
【００２２】
図８に示す規制範囲４００は、規制部３０４によって規制された回転範囲、つまり、電子機器１００においてＤＣプラグ２００が回転可能な範囲を示している。以下、規制範囲４００について更に詳細に説明する。
【００２３】
凹部３０２の周辺部３０６は、筐体３０１の表面３０１ａの一部であり、図９に示すように、領域３０６ａと領域３０６ｂを含んでいる。領域３０６ａは、底面３０２ａに対する高さがＤＣジャック３０３にＤＣプラグ２００が接続された状態でのブッシュ部２０２より低い領域である。なお、ブッシュ部２０２よりも低い領域とは、図１０に示すブッシュ部２０２の中心高さＨ１よりも低い領域のことである。また、領域３０６ｂは、底面３０２ａに対する高さがＤＣジャック３０３にＤＣプラグ２００が接続された状態でのブッシュ部２０２より高い領域である。
【００２４】
規制部３０４は、図９に示すように、規制範囲４００が領域３０６ａに納まるように、ブッシュ部２０２が規制部３０４（リブ３０４ａ、リブ３０４ｂ）と当接する。これにより、電子機器１００では、ＤＣプラグ２００のブッシュ部２０２が領域３０６ａから領域３０６ｂに移動することを未然に防ぐことができる。領域３０６ａから領域３０６ｂへブッシュ部２０２が移動すると、周辺部３０６の高さに応じて、ＤＣプラグ２００の抜脱の原因となる軸方向（この例では、Ｙ方向の正向き）の力がＤＣプラグ２００に加わってしまう。これを防止することで、ＤＣプラグ２００の抜脱を回避することができる。
【００２５】
規制部３０４の当接面３０５は、図１０に示すように、底面３０２ａと直角を成している。なお、当接面３０５と底面３０２ａのなす角度は直角に限らず、９０°以下であればよい。即ち、当接面３０５は、底面３０２ａと直角又は鋭角を成していればよい。
【００２６】
当接面３０５を底面３０２ａに対して９０度以下とする理由は、ブッシュ部２０２が規制部３０４に乗り上げてしまうことを防ぐためである。ブッシュ部２０２が規制部３０４に当接したときに、規制部３０４に乗り上げてしまうと、規制範囲４００を越えてブッシュ部２０２が移動してしまう。当接面３０５を底面３０２ａに対して９０度以下とすることで、当接面３０５に当接したブッシュ部２０２に上向き（Ｙ方向の正向き）の力が発生することを避けることができるため、ブッシュ部２０２が規制部３０４に乗り上げてしまう可能性を低減することができる。
【００２７】
規制部３０４の当接面３０５の高さＨ２は、図１０に示すように、ブッシュ部２０２の中心高さＨ１よりも高い。つまり、電子機器３００では、当接面３０５の少なくとも一部は、ブッシュ部２０２の中心高さＨ１よりも高い位置に設けられている。
【００２８】
当接面３０５の高さＨ２をブッシュ部２０２の中心高さＨ１よりも高くする理由は、ブッシュ部２０２が規制部３０４に乗り上げてしまうことを防ぐためである。当接面３０５の高さＨ２がブッシュ部２０２の中心高さＨ１よりも低い場合には、ブッシュ部２０２の高さ方向の中心部分が当接面３０５に当接せずに規制部３０４の上方まで移動してしまう。このため、ＤＣプラグ２００の回転が進むにつれて規制部３０４がブッシュ部２０２の下側にもぐりこんでしまい、ブッシュ部２０２が規制部３０４に乗り上げてしまう。ブッシュ部２０２が規制部３０４に乗り上げてしまうと、規制範囲４００を越えてブッシュ部２０２が移動してしまう。当接面３０５の高さＨ２をブッシュ部２０２の中心高さＨ１よりも高くすることで、ブッシュ部２０２の中心が当接面３０５に当接せずに規制部３０４の上方まで移動してしまうことを避けることができる。このため、ブッシュ部２０２が規制部３０４に乗り上げてしまう可能性を低減することができる。
【００２９】
以上のように構成された電子機器３００では、ＤＣプラグ２００から延びる電源コード２０３を取り回しする際などに、ＤＣプラグ２００の回転が適切に規制される。このため、ＤＣプラグ２００が、例えば、図１１（ａ）から図１１（ｃ）に示すように時計回りに回転したとしても、図１１（ｃ）に示す状態以上には回転しない。これにより、ＤＣプラグ２００のブッシュ部２０２が筐体３０１の表面３０１ａに乗り上げてしまうことがなく、その結果、中心電極の軸方向の力がＤＣプラグ２００に加わることを防止することができる。
【００３０】
従って、電子機器３００によれば、アングルコネクタを用いて設置スペースを抑えた場合であっても、利用者の意図しないアングルコネクタの抜脱を回避することができる。
【００３１】
以上では、規制部３０４によって規制された回転範囲である規制範囲４００がどのような範囲かに注目したが、規制部３０４自体の位置は、以下のように特徴付けられる。
【００３２】
規制部３０４は、図８に示すように、底面３０２ａと筐体３０１の表面３０１ａとの高低差がコネクタ（ＤＣジャック３０３）の中心位置における底面３０２ａと表面３０１ａとの高低差よりも大きい位置に設けられている。ここで、底面３０２ａと表面３０１ａとの高低差とは、底面３０２ａと直交する方向（Ｙ方向）の高低差のことであり、この例では、図１０に示す中心高さＨ１である。電子機器３００では、Ｘ方向の正向きに底面３０２ａと表面３０１ａとの高低差が増加するため、規制部３０４は、ＤＣジャック３０３よりもＸ方向の正側の位置に設けられている。つまり、規制部３０４は、ＤＣジャック３０３と図５に示すＹ方向と平行な対称軸ＡＸ１との間の位置に設けられている。
【００３３】
なお、この例では、規制部３０４は、ブッシュ部２０２がＤＣジャック３０３の中心位置における高低差よりも小さい位置から大きい位置へ変化する位置にあるときに、ブッシュ部２０２と当接するように設けられている。
【００３４】
ＤＣジャック３０３の中心位置における底面３０２ａと表面３０１ａとの高低差よりも高低差が大きい位置に規制部３０４を設ける理由は、そのような高低差が大きい位置にＤＣプラグ２００（特に、ブッシュ部分２０２）が移動することを防ぐためである。ＤＣジャック３０３の中心位置における底面３０２ａと表面３０１ａとの高低差よりも高低差が大きい位置にブッシュ部分２０２が移動すると、ブッシュ部分２０２が筐体３０１の表面３０１ａに乗り上げてしまい、ＤＣプラグ２００の抜脱の原因となる軸方向の力がＤＣプラグ２００に加わってしまう。ＤＣジャック３０３の中心位置における底面３０２ａと表面３０１ａとの高低差よりも高低差が大きい位置に規制部３０４が存在することで、ＤＣプラグ２００が回転したとしても、規制部３０４が存在する位置へはブッシュ部分２０２は移動することができない。このため、規制部３０４が存在するＤＣジャック３０３の中心位置における底面３０２ａと表面３０１ａとの高低差よりも高低差が大きい位置にブッシュ部分２０２が移動することを防ぐことができる。
【００３５】
さらに、リブ３０４ａとリブ３０４ｂを規制部３０４が含むことで、その２つのリブの間の領域へのブッシュ部分２０２の移動も防ぐことができる。これにより、規制部３０４が空間的に占有する範囲よりも広い範囲にわたってブッシュ部分２０２の移動を規制することができる。この例では、図９に示すように、ブッシュ部分２０２の中心軸が規制範囲４００を超えて移動することを規制することが可能であり、回転範囲を１８０度程度に制限することができる。
【００３６】
上述した実施形態は、発明の理解を容易にするために具体例を示したものであり、本発明はこれらの実施形態に限定されるものではない。電子機器は、特許請求の範囲の記載を逸脱しない範囲において、さまざまな変形、変更が可能である。
【００３７】
上述した実施形態では、電子機器３００がラベルプリンタである例を示したが、電子機器３００はラベルプリンタに限らず、他の電子機器であってもよい。また、回転に起因する抜脱が生じ得るＤＣジャック３０３とＤＣプラグ２００が接続される例を示したが、軸対称な構造を有し、接続相手のコネクタに対して相対的に回転し得るコネクタであれば、他のコネクタであってもよい。
【００３８】
上述した実施形態では、規制部３０４が底面３０２ａと側面３０２ｂの両方から隆起している例を示したが、規制部は、凹部の底面と側面の少なくとも一方から隆起していればよい。構造上必要な強度が確保できる限り、電子機器３００は、図１２に示すように、規制部３０４の代わりに、底面３０２ａのみから隆起した規制部３１４を有してもよく、図１３に示すように、規制部３０４の代わりに、側面３０２ｂのみから隆起した規制部３２４を有してもよい。
【００３９】
上述した実施形態では、規制部３０４が２つのリブ（リブ３０４ａ、リブ３０４ｂ）からなる例を示したが、規制部３０４は、単一の要素で構成されてもよい。ＤＣプラグ２００を抜き差しする際に指を入れるための十分なスペースが凹部３０２内に確保される限り、電子機器３００は、図１４に示すように、規制部３０４の代わりに、単一の要素からなる規制部３３４を有してもよい。
【００４０】
上述した実施形態では、ＤＣプラグ２００及び図示しないＡＣアダプタを電子機器３００とは別の機器として説明したが、電子機器３００は、筐体３０１に接続されたＤＣプラグ２００及びＡＣアダプタを含んでもよい。
【００４１】
以下、本願の出願当初の特許請求の範囲に記載された発明を付記する。
［付記１］
電子機器であって、
前記電子機器の筐体に形成された凹部と、
前記凹部の底面に設けられたコネクタと、
本体部と前記本体部に直交して設けられたブッシュ部とからなり、前記本体部が前記コネクタに接続されるライトアングルコネクタと、
前記ライトアングルコネクタの接続方向を回転軸方向とした前記ライトアングルコネクタの回転範囲を、前記ブッシュ部と当接することにより規制し、前記凹部の前記底面又は側面の少なくとも一方から隆起した規制部と、を備え、
前記凹部の周辺部は、前記底面に対する高さが前記コネクタに前記ライトアングルコネクタが接続された状態の前記ブッシュ部より高い領域と低い領域とを含み、
前記規制部は、前記規制部によって規制された回転範囲が前記低い領域に納まるように、前記ブッシュ部と当接する
ことを特徴とする電子機器。
［付記２］
付記１に記載の電子機器において
前記規制部は、前記ライトアングルコネクタと当接することで前記ライトアングルコネクタの前記回転範囲を規制する当接面であって、前記底面と直角又は鋭角を成す前記当接面を有する
ことを特徴とする電子機器。
［付記３］
付記２に記載の電子機器において、
前記当接面の少なくとも一部は、前記ライトアングルコネクタが前記コネクタに接続されたときの前記ブッシュ部の中心高さよりも高い位置に設けられた
ことを特徴とする電子機器。
［付記４］
付記１乃至付記３のいずれか１つに記載の電子機器において、
前記本体部は、中心電極を備え、
前記規制部は、前記ライトアングルコネクタが前記中心電極を回転軸として回転したときに、前記ブッシュ部と当接する位置に設けられた
ことを特徴とする電子機器。
［付記５］
付記１乃至付記４のいずれか１つに記載の電子機器において、
前記規制部は、
前記底面及び前記側面から隆起した第１規制部と、
前記底面及び前記側面から隆起した、前記第１規制部とは異なる第２規制部と、を含む
ことを特徴とする電子機器。
［付記６］
付記１乃至付記５のいずれか１つに記載の電子機器において、
前記ライトアングルコネクタは、ＡＣアダプタのＤＣプラグであり、
前記コネクタは、ＤＣジャックである
ことを特徴とする電子機器。
［付記７］
電子機器であって、
前記電子機器の筐体に形成された凹部と、
前記凹部の底面に設けられたコネクタと、
前記コネクタに接続されるライトアングルコネクタの回転範囲であって前記ライトアングルコネクタの接続方向を回転軸方向とした前記回転範囲を規制する規制部であって、前記凹部の前記底面又は側面の少なくとも一方から隆起した前記規制部と、を備え、
前記規制部は、前記底面と前記筐体の表面との高低差が、前記コネクタの中心位置における前記底面と前記筐体の表面との前記高低差よりも大きい位置で、且つ、前記コネクタに接続された前記ライトアングルコネクタが前記回転軸方向を回転軸として回転したときに前記ライトアングルコネクタと当接する位置に設けられた
ことを特徴とする電子機器。
［付記８］
付記７に記載の電子機器であって、
前記規制部は、前記ライトアングルコネクタのブッシュ部が前記コネクタの中心位置における前記高低差よりも小さい位置から大きい位置へ変化する位置にあるときに、前記ブッシュ部と当接するように設けられる
ことを特徴とする電子機器。
【符号の説明】
【００４２】
１００、３００                    電子機器
１０１、３０１                    筐体
１０２、３０２、３１０            凹部
１０３、３０３                    ＤＣジャック
２００                            ＤＣプラグ
２０１                            本体部
２０２                            ブッシュ部
２０３                            電源コード
３０１ａ                          表面
３０２ａ                          底面
３０２ｂ                          側面
３０３ａ                          中心電極
３０４、３１４、３２４、３３４    規制部
３０４ａ、３０４ｂ                リブ
３０５、３０５ａ、３０５ｂ        当接面
３０６                            周辺部
３０６あ、３０６ｂ                領域
３１１                            排紙口
４００                            規制範囲
【図１】
2020116922.tif 000003
【図２】
2020116922.tif 000004
【図３】
2020116922.tif 000005
【図４】
2020116922.tif 000006
【図５】
2020116922.tif 000007
【図６】
2020116922.tif 000008
【図７】
2020116922.tif 000009
【図８】
2020116922.tif 000010
【図９】
2020116922.tif 000011
【図１０】
2020116922.tif 000012
【図１１】
2020116922.tif 000013
【図１２】
2020116922.tif 000014
【図１３】
2020116922.tif 000015
【図１４】
2020116922.tif 000016